(57)【要約】      （修正有）【課題】女性が、スカートを履いて自転車で走行する際、スカートが風で巻き上げられないようする前掛を提供する。【解決手段】下腹部から膝上まで広く覆い、かつ強い摩擦性あるゴムシート２の上部端の左右両端に、背中で着脱可能なベルト３ｃ、３ｄを取り付けた前掛１である。【選択図】図１
0003207306.tif 000002
【実用新案登録請求の範囲】
【請求項１】
自転車走行中に装着する前掛であって、
ゴムシートの上部端の左右両端に、背中で着脱可能なベルトを取り付けた
スカートの捲り止め前掛。
【請求項２】
自転車走行中に装着する前掛であって、
ゴムシートと、
前記ゴムシートの上部端の左右両端に取り付けられ、使用者の背中で着脱可能なベルトと、を備え、
前記ゴムシート下端から所定長までの範囲は、略中央部から所定幅だけ他の領域よりも厚さが薄くなっていることを特徴とする
スカートの捲り止め前掛。
【請求項３】
前記ゴムシートは、上方領域よりも下方領域の方が、面積が広いことを特徴とする
請求項２に記載のスカートの捲り止め前掛。
【請求項４】
自転車走行中に装着する前掛であって、
上方領域から下方領域に向けて面積が大きくなっており、下端から所定長までの範囲は略中央部において略三角形に他の領域よりも厚さが薄くなっており、装着時には使用者の下腹部から膝上までを覆う大きさのゴムシートと、
前記ゴムシートの上部端の左右両端に取り付けられ、一対のフックが係合することで使用者の背中で着脱可能なベルトと、を備えた
スカートの捲り止め前掛。
【考案の詳細な説明】
【技術分野】
【０００１】
この考案は、例えば、自転車走行中等において、風等でスカートが捲れ上がらないようにするためのスカートの捲り止め前掛に関するものである。
【背景技術】
【０００２】
従来、女性が、短い又はヒラヒラしたスカートを履いて自転車で走行すると、風でスカートが巻き上がってしまっていた。
【０００３】
このような問題に鑑みて、例えば特許文献１では、両端に一対の留め具が設けられる弾性体のベルトからなる脚バンドと、一端にスカートを掴む掴み具が設けられる第二ベルトからなるスカート捲り止め戸を有するスカートの捲り止め具が開示されている。
【先行技術文献】
【特許文献】
【０００４】
【特許文献１】実用新案登録第３１７８５５５号公報
【考案の概要】
【考案が解決しようとする課題】
【０００５】
しかしながら、特許文献１の技術では、取り付けが煩雑であり、スカートの広範囲にわたって捲り上がりを防止できない場合があった。
【０００６】
一方、何らの対応もせずに、女性がスカートを履いて自転車に乗ると、風でスカートが巻き上がってしまい、それを防ぐため、片手でスカートを抑えてしまい、片手運転になるためとても危険であった。
【０００７】
本考案は、上記課題を解決するためになされたもので、その目的とするところは、風等によるスカートの巻き上げを防止することにある。
【課題を解決するための手段】
【０００８】
上記課題を解決するため、本考案の一態様に係る前掛けは、自転車走行中に装着する前掛であって、ゴムシートの上部端の左右両端に、背中で着脱可能なベルトを取り付けたスカートの捲り止め前掛である
【０００９】
本考案は、以上の構成によりなる、例えば、自転車走行中、風等でスカートが捲れないようにする前掛である。
【考案の効果】
【００１０】
本考案によれば、ゴムシートが、下腹部から膝上まで広く覆い、尚且つ強い摩擦性あるゴムなので、ズレる事なくスカートの巻き上げを防止することができる。
【００１１】
さらに、本考案によれば、腰からの吊り下げ式なので、足の自由を損なうこともなく自転車走行時の風に対して、気にすることなく安全に走行することができる。
【００１２】
さらに、本考案によれば、ワンタッチで着け外し出来るので手間にもならないし、丸めてしまえばコンパクトに持ち運ぶことが可能である。
【図面の簡単な説明】
【００１３】
【図１】本考案の一実施形態に係る前掛の構成図である。
【図２】同前掛けの装着時の様子を示す図である。
【図３】同前掛の改良例の構成図である。
【考案を実施するための形態】
【００１４】
以下、図面を参照しつつ本考案の一実施形態について説明する。
【００１５】
図１（ａ）から図１（ｃ）には、本考案の一実施形態に係る前掛の構成を示す。より詳細には、図１（ａ）は同前掛の正面図、図１（ｂ）は同前掛の背面図、図１（ｃ）は同前掛の底面図である。
【００１６】
同図に示されるように、ゴムシート２を、腰の自由を損なわぬように、上方領域２ａと下方領域２ａよりも面積の小さい第２の領域２ｂとからなる形状にカットし、カット後のゴムシート２の上部端の左右両端に、背中で着脱可能なベルト３を取り付ける。この例では、ベルト３は、２本のベルト本体３ｃ，３ｄと各ベルト本体３ｃ，３ｄの端部に設けられた第１のフック３ａ、第２のフック３ｂとで構成される。使用者は、背中で第１のフック３ａと第２のフック３ｂとを係合させることで、本前掛を装着する。
【００１７】
尚、上記形状にカットする前のゴムシート２は、例えば５０×３０ｃｍの長方形であってよい。そして、ゴムシート２が横風に負けぬよう、ゴムシート２の下半分の左右両端を裏側にかけて２回ほどクルクルと折り曲げて曲げ癖を付ける。さらに、ゴムシート１が両脚の間に弛まぬよう、下半分の中央の裏地を若干薄くし、重量配分を左右両端に逃がすようにする。ゴムシート２、ベルト３共に、摩擦性の高い材質であってよい。
【００１８】
このような前掛けを使用するときは、自転車に乗る前に、一般的な前掛と同様に腰に巻き、普段と変わらない感覚で、自転車等で走行すればよい。図２は、同前掛けの装着時の様子を示している。ゴムシート２により、スカートが被覆されるその重量により押え付けられるので、風等によりスカートが捲れるのを効果的に防止できる。
【００１９】
以上説明した本考案の一実施形態に係る前掛けは、自転車走行中に装着する前掛１であって、上方領域２ａから下方領域２ｂに向けて面積が大きくなっており、下端から所定長までの範囲は略中央部において略三角形２ｃに他の領域よりも厚さが薄くなっており、装着時には使用者の下腹部から膝上までを覆う大きさのゴムシート２と、ゴムシート２の上部端の左右両端に取り付けられ、一対のフッ３ａ，３ｂが係合することで使用者の背中で着脱可能なベルト３とを備えている。
【００２０】
従って、ゴムシート２が、下腹部から膝上まで広く覆い、尚且つ強い摩擦性あるゴムなので、ズレる事なくスカートの巻き上げを防止することができる。
【００２１】
さらに、腰からの吊り下げ式なので、足の自由を損なうこともなく、自転車等での走行時の風等に対して、気にすることなく安全に走行することができる。
【００２２】
さらに、ワンタッチで着け外し出来るので手間にもならないし、丸めてしまえばコンパクトに持ち運ぶことが可能である。
【００２３】
以上、本考案の一実施形態について説明したが、本考案はこれに限定されることなくその趣旨を逸脱しない範囲で種々の改良・変更が可能であることは勿論である。
【００２４】
例えば、他の結合の仕方として、ベルトを取り付けている上部端の左右両端の位置にベルトを通す開口部を儲け、当該開口部にベルトを通すか、当該開口部にリングを取り付けて該リングにベルトをかけるようにしてもよい。
【００２５】
また、本考案は、原動付き自転車（スクータータイプ等）の様な速度の出ない２輪車等にも利用可能であることは勿論である。
【００２６】
また、本考案のゴムシート１の形状は、前述した物に限定されず、図３（ａ）乃至図３（ｅ）に示されるような種々のものを採用することができる。
【００２７】
即ち、図３（ａ）に示す構成では、ゴムシート２Ａの形状が、下部領域が左右上端、左右下端の角が鋭角に突き出た構成となっている。図３（ｂ）に示す構成では、ゴムシート２Ｂの構成が、その下部領域の下端の略中央部が円弧を描くように凹んだ構成となっている。図３（ｃ）に示す構成では、ゴムシート２Ｃの下部領域の構成が略お椀型になっており、下端の略中央部が円弧を描くように凹んだ形状となっている。図３（ｄ）に示す構成では、ゴムシート２Ｄの下部領域が略富士山型になっており、下端も端から端までに亘り円弧を描くように緩やかに凹んだ形状となっている。図３（ｅ）に示す構成では、ゴムシート２Ｅが所謂バタフライ形状となっている。これらも一例であって、これらには限定されないことは勿論である。
【符号の説明】
【００２８】
１…前掛、２…ゴムシート、２ａ…上方領域、２ｂ…下方領域、３…ベルト、３ａ…第１のフック、３ｂ…第２のフック、３ｃ，３ｄ…ベルト本体。
【図１】
0003207306.tif 000003
【図２】
0003207306.tif 000004
【図３】
0003207306.tif 000005